(57)【要約】【課題】携帯電話機本体を操作することなく現在位置を通知する機能を備えた携帯電話機を提供すること。【解決手段】微弱な電波を発信する小型発信機部１１と、小型発信機部１１からの電波を受信し受信不可のときに信号を出力する電波受信部１３、電波受信部１３からの信号出力で現在位置を通知する現在位置通知部１４を有するとともに、通常の携帯電話機能をも有する携帯電話機本体部１２と、を備える携帯電話機。現在位置通知部１４は、音声、光または振動等を発生する手段を有する。小型発信機部１１は電波の発信を停止させるスイッチを有する。【選択図】図１
2007228398.tif 000002
【特許請求の範囲】
【請求項１】
微弱な電波を発信する小型発信機部と、
前記小型発信機部からの電波を受信し受信不可のときに信号を出力する電波受信部、前記電波受信部からの信号出力で現在位置を通知する現在位置通知部を有するとともに、通常の携帯電話機能をも有する携帯電話機本体部と、を備える
ことを特徴とする携帯電話機。
【請求項２】
請求項１において、
前記小型発信機部は、電波の発信を停止させるスイッチを有することを特徴とする携帯電話機。
【請求項３】
請求項１または２において、
前記現在位置通知部は、音声、光または振動等を発生する手段を有することを特徴とする携帯電話機。
【請求項４】
請求項１または２において、
前記通常の携帯電話機能で使用する通信基地局の識別ＩＤを検出する識別ＩＤ検出部を有し、
前記現在位置通知部は、前記小型発信機部からの電波受信不可のときに、前記識別ＩＤ検出部で検出した通信基地局識別ＩＤ情報を通知する
ことを特徴とする携帯電話機。
【請求項５】
請求項１または２において、
ＧＰＳによる位置情報を検出するＧＰＳ衛星電波検出部を有し、
前記現在位置通知部は、前記小型発信機部からの電波受信不可のときに、前記ＧＰＳ衛星電波検出部で検出したＧＰＳ位置情報を通知する
ことを特徴とする携帯電話機。
【請求項６】
微弱な電波を発信する小型発信機部と、
前記小型発信機部からの電波を受信し受信不可のときに信号を出力する電波受信部、前記電波受信部からの信号出力で現在位置を通知する現在位置通知部を有するとともに、通常の携帯電話機能をも有する携帯電話機本体部と、を備え、
前記現在位置通知部は、前記小型発信機部からの電波受信不可のときに、音声、光または振動等を発生する第１の手段を有し、
さらに、前記現在位置通知部は、前記小型発信機部からの電波受信不可のときに、前記通常の携帯電話機能で使用する通信基地局の識別ＩＤを検出する識別ＩＤ検出部で検出した通信基地局識別ＩＤ情報を通知する第２の手段を有し、
さらに、前記現在位置通知部は、前記小型発信機部からの電波受信不可のときに、ＧＰＳによる位置情報を検出するＧＰＳ衛星電波検出部で検出したＧＰＳ位置情報を通知する第３の手段を有し、
前記小型発信機部からの電波受信不可のときに、前記第１の手段、前記第２の手段および前記第３の手段のいずれか１つ、または複数を動作させるスイッチを設ける
ことを特徴とする携帯電話機。
【請求項７】
請求項１ないし６のいずれか１つの請求項において、
前記小型発信機部は、身体に着けるキーホルダ型、腕時計型またはネックレス型などの小型軽量の形状であることを特徴とする携帯電話機。
【発明の詳細な説明】
【技術分野】
【０００１】
本発明は、現在位置を通知する機能を有する携帯電話機に関するものである。
【背景技術】
【０００２】
近年の携帯電話機の普及に伴って、従来から存在する携帯用防犯具である防犯ブザーの機能を持たせた携帯電話機が各種提案されている。例えば、特許文献１においては、アンテナ部分を本体から引き抜くと防犯ブザーが鳴る機能を備えた携帯電話機の技術が開示されている。また、例えば特許文献２においては、本体を強く握ると防犯ブザーが鳴る機能を備えた携帯電話機の技術が開示されている。
【０００３】
さらに、例えば特許文献３や特許文献４および特許文献５においては、本体でのボタン操作や送信機のピンを引き抜く動作で防犯ブザーが鳴る機能ばかりでなく、電話機の現在位置情報や電話機で撮影した画像を送信する機能を備えた携帯電話機の技術が開示されている。
【特許文献１】特開２００３−６０７５３号公報
【特許文献２】特開２００５−２１８００４号公報
【特許文献３】特開２００３−１６５５９号公報
【特許文献４】特開２００２−２７９５７１号公報
【特許文献５】特開２００５−１３５２０４号公報
【発明の開示】
【発明が解決しようとする課題】
【０００４】
しかしながら、上記特許文献で開示されている従来技術のように、防犯ブザーの機能や携帯電話機の現在位置情報および携帯電話機で撮影した画像を送信する機能を備えた携帯電話機では、例えば荷物の入った鞄の中等で携帯電話機を見失った場合や、携帯電話機の入った鞄ごと何者かに奪われた場合、また携帯電話機本体をどこかに置き忘れてしまった場合等では、携帯電話機自体の場所を確認することができないばかりでなく、必要な操作ができないために防犯ブザー機能や位置情報送信、撮影画像送信等の機能を利用することは不可能であった。
【０００５】
また、防犯ブザー機能や位置情報送信、撮影画像送信等の機能を有効にするためには、携帯電話機本体や付属送信機側で、アンテナやピンを引き抜いたり、本体を強く握ったり、本体のボタンを押す等必ず何らかの操作が必要となるが、これらの機能を有効にする必要のある場合というのは誘拐等の異常事態に遭遇した場合である。異常事態に遭遇している状況の中で携帯電話機を取り出して操作を確実に実行することは困難であるばかりでなく、携帯電話機を操作したことが知られてしまったような場合にはさらに危害をも加えられるリスクまで発生する可能性すらある。
【０００６】
従って、上記従来技術として述べた携帯電話機では、それらの特徴とする防犯ブザー機能や位置情報送信、撮影画像送信等といった機能を最も必要とする誘拐等の異常事態に遭遇した場面では、逆に使用を躊躇する可能性すらあるという矛盾があった。
【０００７】
本発明の目的は、上述した課題を解決するためになされたものであり、携帯電話機本体を操作することなく現在位置を通知する機能を備えた携帯電話機を提供することにある。
【課題を解決するための手段】
【０００８】
前記課題を解決するために、本発明は主として次のような構成を採用する。  
本発明における携帯電話機は、微弱な電波を発信する小型発信機部と、前記小型発信機部からの電波を受信できなくなった場合には自動的に現在位置を通知する機能を備えた携帯電話機本体部とによって構成されることを特徴としている。
【０００９】
上記構成において、小型発信機部は携帯電話機本体部とは別に常に身に着けて使用され、数メートル程度または数メートルから十数メートル程度の到達範囲を持つ微弱な電波を常に発信する。この電波には受信する携帯電話機本体側で対となる小型発信機部自体を認識するための識別情報を含ませても良い。また、電波は一定時間間隔毎の間欠発信としても良い。小型発信機部の形状は身に着けやすい小型・軽量なものであればどのような形状でも良く、例えばキーホルダ型、腕時計型、ネックレス型等であっても構わない。小型発信機部の電源としてはボタン電池等を使用することができる。
【発明の効果】
【００１０】
本発明によると、例えば携帯電話機本体部を見失った場合には、小型発信機部に備えたスイッチを操作して電波の発信を止めることで、携帯電話機本体部を操作することなく自動的に音声・光・振動や通信手段等を介して現在位置を通知してくるため、発見が容易で紛失等を未然に防止することのできる携帯電話機を提供することができる。
【００１１】
また、本発明による携帯電話機によれば、例えば携帯電話機本体部を置き忘れた場合や盗難により携帯電話機本体部の入った鞄ごと奪われた場合には、身に着けている小型発信機部から発信している微弱電波の到達範囲を逸脱することで、携帯電話機本体部を操作することなく自動的に音声・光・振動や通信手段等を介して現在位置を通知してくるため、発見が容易で事態の早期解決に役立つ携帯電話機を提供することができる。
【００１２】
さらに、本発明による携帯電話機によれば、例えば誘拐等の異常事態に遭遇して危険が迫った場合には、身に着けている小型発信機部を現場に残し小型発信機部から発信される電波の到達範囲を逸脱することで、携帯電話機本体部を操作することなく自動的に通信手段等を介して現在位置を通知してくるため、被害者の救出を安全・迅速に行なうことのできる携帯電話機を提供することができる。
【発明を実施するための最良の形態】
【００１３】
以下、本発明の実施形態に係る携帯電話機について、図１ないし図６を参照して詳細に説明する。
【００１４】
「第一の実施形態」
本発明の第一の実施形態に係る携帯電話機は、図１のブロック図に示すように、小型発信機部１１と、携帯電話機本体部１２によって構成されている。携帯電話機本体部１２には、発信機電波受信部１３と現在位置通知部１４が備えられている。
【００１５】
小型発信機部１１は、携帯電話機本体部１２とは別になっており、常に身に着けて使用され、数メートル程度または数メートルから十数メートル程度の到達範囲を持つ微弱な電波を発信し続ける。この電波には、受信する携帯電話機本体部１２側で対となる小型発信機部１１自体を認識するための識別情報を含ませても良い。また、電波は一定時間間隔毎の間欠発信としても良い。小型発信機部１１の形状は身に着けやすい小型・軽量なものであればどのような形状でも良く、例えばキーホルダ型、腕時計型、ネックレス型等であっても構わない。小型発信機部１１の電源としてはボタン電池等を使用することができる。
【００１６】
携帯電話機本体部１２に備えられた発信機電波受信部１３は、小型発信機部１１から発信される微弱な電波を受信し、その受信状況を現在位置通知部１４に伝える。現在位置通知部１４は、発信機電波受信部１３が小型発信機部１１からの電波を受信できなくなった場合に現在位置通知動作を開始する。本実施形態においては、現在位置通知動作として音声、光または振動等を発生させる。または、それらの組み合わせであっても良い。
【００１７】
本実施形態における携帯電話機の概念を表す説明図を図２に示す。図２において、本発明による携帯電話機本体部２３は鞄２４内にあり、荷物に紛れた等で探すのが困難な場合には、小型発信機部２１に備えられたスイッチ２２を操作して発信動作を停止させる。小型発信機部２１から発信される電波が受信できなくなると携帯電話機本体部２３は現在位置通知動作を開始する。また、鞄２４ごと置き忘れてしまった場合には、小型発信機部２１を身に着けたまま鞄２４から遠ざかり、小型発信機部２１から発信される電波の通信可能範囲を逸脱して受信できなくなると、携帯電話機本体部２３は現在位置通知動作を開始する。
【００１８】
本実施形態においては携帯電話機本体部２３自体が音声、光または振動等を発生させるため、多くの荷物の入った鞄２４内にあっても、また鞄２４ごと置き忘れても、携帯電話機本体部２３は容易に発見することができる。
【００１９】
「第二の実施形態」
本発明の第二の実施形態に係る携帯電話機は、図３のブロック図に示すように、小型発信機部３１と、携帯電話機本体部３２によって構成されている。携帯電話機本体部３２には、発信機電波受信部３３と、現在位置通知部３４と、通信基地局識別ＩＤ検出部３５が備えられている。
【００２０】
小型発信機部３１は、携帯電話機本体部３２とは別になっており、常に身に着けて使用され、数メートル程度または数メートルから十数メートル程度の到達範囲を持つ微弱な電波を発信し続ける。この電波には、受信する携帯電話機本体部３２側で対となる小型発信機部３１自体を認識するための識別情報を含ませても良い。また、電波は一定時間間隔毎の間欠発信としても良い。小型発信機部３１の形状は身に着けやすい小型・軽量なものであればどのような形状でも良く、例えばキーホルダ型、腕時計型、ネックレス型等であっても構わない。小型発信機部３１の電源としてはボタン電池等を使用することができる。
【００２１】
携帯電話機本体部３２に備えられた発信機電波受信部３３は、小型発信機部３１から発信される微弱な電波を受信し、その受信状況を現在位置通知部３４に伝える。現在位置通知部３４は、発信機電波受信部３３が小型発信機部３１からの電波を受信できなくなった場合に現在位置通知動作を開始する。
【００２２】
本実施形態においては、現在位置通知動作として通信基地局識別ＩＤ検出部３５で検出した、携帯電話機本体部３２が現在通信している相手基地局の識別ＩＤを通知する。通知手段としてネットワーク側へのデータ送信、または指定通知先へのメール送信や自動音声通知等を利用しても良い。
【００２３】
本実施形態における携帯電話機の概念を表す説明図を図４に示す。図４において、本発明による携帯電話機本体部４２は、移動中は常に通信基地局４３との間で位置確認動作を行なっている。携帯電話機本体部４２に内蔵された通信基地局識別ＩＤ検出部では常に通信相手基地局の識別ＩＤを検出している。盗難等で携帯電話機本体部４２が身に着けている小型発信機部４１から発信される電波の通信可能範囲を逸脱した場合や、誘拐等の異常事態に遭遇し身につけていた小型発信機部４１を現場に落としたために携帯電話機本体部４２が小型発信機部４１から発信される電波の通信可能範囲を逸脱した場合には、携帯電話機本体部４２は何の操作をしなくとも自動的に現在位置通知動作を開始する。
【００２４】
本実施形態においては通信基地局識別ＩＤ検出部で検出していた通信相手基地局の識別ＩＤ情報を、ネットワーク側へのデータ送信、または指定通知先へのメール送信や自動音声通知等で自動的に通知するため、携帯電話機本体部４２の現在位置を容易かつ安全に知ることができ、事態の早期解決に役立てることができる。
【００２５】
「第三の実施形態」
本発明の第三の実施形態に係る携帯電話機は、図５のブロック図に示すように、小型発信機部５１と、携帯電話機本体部５２によって構成されている。携帯電話機本体部５２には、発信機電波受信部５３と、現在位置通知部５４と、ＧＰＳ衛星電波検出部５５が備えられている。
【００２６】
小型発信機部５１は、携帯電話機本体部５２とは別になっており、常に身に着けて使用され、数メートル程度または数メートルから十数メートル程度の到達範囲を持つ微弱な電波を発信し続ける。この電波には、受信する携帯電話機本体部５２側で対となる小型発信機部５１自体を認識するための識別情報を含ませても良い。また、電波は一定時間間隔毎の間欠発信としても良い。小型発信機部５１の形状は身に着けやすい小型・軽量なものであればどのような形状でも良く、例えばキーホルダ型、腕時計型、ネックレス型等であっても構わない。小型発信機部５１の電源としてはボタン電池等を使用することができる。
【００２７】
携帯電話機本体部５２に備えられた発信機電波受信部５３は、小型発信機部５１から発信される微弱な電波を受信し、その受信状況を現在位置通知部５４に伝える。現在位置通知部５４は、発信機電波受信部５３が小型発信機部５１からの電波を受信できなくなった場合に現在位置通知動作を開始する。
【００２８】
本実施形態においては、現在位置通知動作としてＧＰＳ（全地球測位システム）衛星電波検出部５５で検出した、携帯電話機本体部５２のＧＰＳ位置情報を通知する。通知手段としてネットワーク側へのデータ送信、または指定通知先へのメール送信や自動音声通知等を利用しても良い。
【００２９】
本実施形態における携帯電話機の概念を表す説明図を図６に示す。図６において、本発明による携帯電話機本体部６２は、移動中は常にＧＰＳ衛星６３からの電波を受信して位置確認動作を行なっている。携帯電話機本体部６２に内蔵されたＧＰＳ衛星電波検出部では常にＧＰＳ位置情報を検出している。盗難等で携帯電話機本体部６２が身に着けている小型発信機部６１から発信される電波の通信可能範囲を逸脱した場合や、誘拐等の異常事態に遭遇し身につけていた小型発信機部６１を現場に落としたために携帯電話機本体部６２が小型発信機部６１から発信される電波の通信可能範囲を逸脱した場合には、携帯電話機本体部６２は何の操作をしなくとも自動的に現在位置通知動作を開始する。
【００３０】
本実施形態においてはＧＰＳ衛星電波検出部で検出していたＧＰＳ位置情報を、ネットワーク側へのデータ送信、または指定通知先へのメール送信や自動音声通知等で自動的に通知するため、携帯電話機本体部６２の現在位置を容易かつ安全に知ることができ、事態の早期解決に役立てることができる。
【００３１】
「第四の実施形態」
本発明の第四の実施形態に係る携帯電話機は、現在位置通知動作として、上述した音声、光又は振動発生と、基地局識別ＩＤ通知と、ＧＰＳ位置通知とを混在したものである。すなわち、本実施形態に係る携帯電話機としては、音声、光又は振動発生の通知部の外に、基地局識別ＩＤ検出部による通知部とＧＰＳ衛星電波検出部による通知部を備えたものであって、これらの通知機能のいずれか１つ又は複数の機能を選択できるスイッチを設ける。例えば、それぞれの機能を動作させるそれぞれのスイッチを設けて、これらのスイッチをそれぞれオンオフすることによって該当する機能を動作させるようにすればよい。そして、このスイッチは、機械的なスイッチであっても良く、また、ソフトウェアで動作するスイッチでも良い。使用形態として、携帯電話機本体部が小型発信機部から離隔する可能性のあることを想定して、離隔した場合の携帯電話機本体部の探索の容易さを考え、例えば、基地局識別ＩＤを発信させるとともに音声を発生させるようにすることができる。その他、種々の使用形態に応じて現在位置通知機能を選定することが可能である。
【００３２】
以上説明したように、本発明の実施形態に係る携帯電話機は、次のような構成を備えて機能又は作用を奏するものであることを特徴とする。携帯電話機本体部は小型発信機部からの電波を受信中は通常の携帯電話機として動作し、小型発信機部からの電波を受信できなくなった場合には、自動的に現在位置を通知する。例えば、携帯電話機本体部と小型発信機部との距離が離れたことにより小型発信機部から発信される電波の到達範囲から携帯電話機本体部が逸脱した場合、携帯電話機本体部側で何の操作を行なわなくても自動的に携帯電話機本体部の現在位置が通知される。
【００３３】
これにより、例えば、携帯電話機本体部を置き忘れたまま離れようとした場合、身に着けている小型発信機部から発信される電波の到達範囲を逸脱すると自動的に携帯電話機本体部が現在位置を通知するため携帯電話機本体部の紛失を未然に防ぐことが可能となる。また、例えば盗難等により携帯電話機本体部の入った鞄ごと奪われた場合にも、身に着けている小型発信機部から発信される電波の到達範囲を逸脱すると自動的に携帯電話機本体部が現在位置を通知するため奪われた物品の追跡が容易となる。さらに、例えば誘拐等の異常事態に遭遇して危険が迫った場合には、身に着けている小型発信機部を現場に残すことで小型発信機部から発信される電波の到達範囲を逸脱すると自動的に携帯電話機本体部が現在位置を通知するため被害者の救出が容易となる。
【００３４】
また、本実施形態に係る携帯電話機においては、小型発信機部に意図的に電波の発信を停止させるためのスイッチ２２（図２を参照）を備えても良い。この構成においては、小型発信機部に備えたスイッチ２２を操作して電波の発信を停止させることによって、小型発信機部から発信される電波の到達範囲内であっても携帯電話機本体部の現在位置通知機能を意図的に働かせることができる。これにより、例えば多くの物が入っている鞄等の中から携帯電話機本体部を取り出そうとしている場合や、室内に置かれているものの何かの物陰などに入ってしまい見つけ難い状態の携帯電話機本体部を探し出す場合に、前記した小型発信機部に備えたスイッチを操作して電波の発信を停止することで自動的に携帯電話機本体部が現在位置を通知してくるため携帯電話機本体部の発見が容易となる。
【００３５】
また、本実施形態に係る携帯電話機においては、現在位置を通知する際に音声・光・振動等を通知手段とするように構成しても良い。この構成においては、現在位置通知機能が働いた場合、携帯電話機本体部のスピーカーを鳴らして現在位置を通知することができる。また、携帯電話機本体部のＬＥＤ（発光ダイオード）ランプや表示画面のバックライト照明等を点滅させる等して現在位置を通知することもできる。さらに、携帯電話機本体部に内蔵されているバイブレータを利用して振動させることで現在位置を通知することもできる。これらにより、置き忘れ等の際にもすぐに携帯電話機本体部を探すことができ、防犯ブザーと同様な使い方をすることも可能となる。また、鞄の中等の暗い場所でも容易に携帯電話機本体部を探し出すことができるようになる。さらに目や耳に障害を持つ人にも携帯電話機本体部の現在位置を通知することができるようになる。
【００３６】
また、本実施形態に係る携帯電話機においては、携帯電話機本体部に通信基地局識別ＩＤ検出部を備えても良い。この構成においては、携帯電話機本体部の現在位置を示す情報として、携帯電話機本体部が通信している基地局の識別ＩＤ情報を利用する。前記した通信基地局識別ＩＤ検出部で通信相手基地局の識別ＩＤを検出し、現在位置通知機能が働いた場合に通信基地局識別ＩＤ情報を通知する。通知手段としてネットワーク側へのデータ送信、または指定通知先へのメール送信や自動音声通知等を利用しても良い。この構成における携帯電話機本体部の現在位置を特定するための情報の精度は通信基地局単位となるが、屋内等であっても基地局との通信が可能であれば位置情報を通知できるメリットがある。これにより携帯電話機本体部の現在位置を通信基地局単位で把握することができる。
【００３７】
また、本実施形態に係る携帯電話機においては、携帯電話機本体部にＧＰＳ（全地球測位システム）衛星電波検出部を備えても良い。この構成においては、携帯電話機本体部の現在位置を示す情報として、ＧＰＳ（全地球測位システム）衛星からの電波を利用する。前記したＧＰＳ衛星電波検出部でＧＰＳ衛星からの電波を受信してＧＰＳ位置情報を検出し、現在位置通知機能が働いた場合にＧＰＳ位置情報を通知する。通知手段としてネットワーク側へのデータ送信、または指定通知先へのメール送信や自動音声通知等を利用しても良い。これにより携帯電話機本体部の現在位置をＧＰＳ位置情報の精度で把握することができる。
【図面の簡単な説明】
【００３８】
【図１】本発明の第一の実施形態に係る携帯電話機の全体構成を示すブロック図である。
【図２】第一の実施形態に係る携帯電話機の動作状態を示す説明図である。
【図３】本発明の第二の実施形態に係る携帯電話機の全体構成を示すブロック図である。
【図４】第二の実施形態に係る携帯電話機の動作状態を示す説明図である。
【図５】本発明の第三の実施形態に係る携帯電話機の全体構成を示すブロック図である。
【図６】第三の実施形態に係る携帯電話機の動作状態を示す説明図である。
【符号の説明】
【００３９】
１１，２１，３１，４１，５１，６１  小型発信機部
１２，２３，３２，４２，５２，６２  携帯電話機本体部
１３，３３，５３  発信機電波受信部
１４，３４，５４  現在位置通知部
２２  スイッチ
２４  鞄
３５  通信基地局識別ＩＤ検出部
４３  通信基地局
５５  ＧＰＳ衛星電波検出部
６３  ＧＰＳ衛星
６４  通信基地局
【図１】
2007228398.tif 000003
【図２】
2007228398.tif 000004
【図３】
2007228398.tif 000005
【図４】
2007228398.tif 000006
【図５】
2007228398.tif 000007
【図６】
2007228398.tif 000008